Podtech/llm-jp-corpus-v4-ja_patent huggingface dataset:
(57)【要約】      （修正有）【解決手段】折り畳みベッドのマット１７の中には、人体のツボの各位置に対応して設けられた振動器２３があり、振動器２３が各位置で目的にあった振動効果をもたらし、また各振動器はコントローラ２１につながっており、ベッド枠１１の上にコントローラ入れ２２がついていて、コントローラ２１をコントローラ２２に収納することができ、同時にコントローラ２１は各振動器２３の振動力の強弱を制御したり、その他の振動リズムを制御することができる。【効果】折り畳んで収納できる寝具としてだけでなく、使用者が折り畳みベッドを使用する際に健康的なマッサージ効果を得ることができる。【選択図】図２
0003103121.tif 000002
【実用新案登録請求の範囲】
【請求項１】
複数のベッド枠の間を折り曲がるようにつなぎ、ベッド枠の上に折り畳むことのできるマットを敷き、マット内の人体のツボに対応して埋められた振動器によって、使用者がマットに横になった時に、振動マッサージの作用を施すことのできる、振動マッサージ効果のある折り畳みベッド。
【考案の詳細な説明】
【技術分野】
【０００１】
本考案は、折り畳みベッドのマットの中に人体のツボの位置に対応した振動器を埋め込み、折り畳みベッドに振動マッサージ機能をもたせたものである。
【背景技術】
【０００２】
一般的によく見られる折り畳みベッドの構造は、図１に示されたように、両側のベッド枠１１、１２の間を折り曲げ部１３でつなぎ、折り曲げてつないだ箇所には支え脚14があり、同時にベッド枠１１、１２の両端にもそれぞれ車輪付き支え脚１５、１６があり、ベッド枠１１、１２は開いたり折り畳んだりすることができ、ベッド枠１１、１２の上にはまたそれぞれマット１７が敷かれ、２つのマット１７には厚みがあり、柔らかく、弾力があり、横たわって睡眠するのに非常に適している。
【考案の開示】
【考案が解決しようとする課題】
【０００３】
しかし、上述した折り畳みベッドには、折り畳んで収納する機能があるが、横たわって休息する用途しかなく、使用者にとっては、機能が少なすぎ、多機能の実用性に合致せず、または健康機能性を提供しておらず、現在の簡易式折り畳みベッドは多機能の要求を満たしていない。
【０００４】
そこで、上述した折り畳みベッドに単一の機能しかなく、多用途性に欠けるという問題を解決するため、本考案では、折り畳みベッドで使用者が横になる際に、休息や睡眠だけでなく、人体のツボに振動マッサージによる健康作用をもたらしたものである。
【課題を解決するための手段】
【０００５】
そのため、上述の目的を達成するために採られた技術手法は、折り畳みベッドのマットの中の、人体のツボに対応した位置に、振動器を埋め込むというものである。
【０００６】
このため、本発明は、下に挙げた実施の形態と図面によって、充分な理解を得ることができ、それに基づいて実施することができる。
【考案の効果】
【０００７】
本考案は、折り畳んで収納できる寝具としてだけでなく、使用者が折り畳みベッドを使用する際に健康的なマッサージ効果を得ることができる。
【考案を実施するための最良の形態】
【０００８】
図２に示したように、本発明の折り畳みベッドの構造には、同様に両側のベッド枠１１、１２があり、２つのベッド枠１１、１２の間を折り曲げ部１３でつなぎ、両側の折り曲げ部１３との間に床から支えることのできる支え脚１４を設け、ベッド枠１１、１２の両端にもそれぞれに車輪付き支え脚１５、１６があり、さらにベッド枠１１、１２の上にはマット１７がある。
【０００９】
さらに、折り畳みベッドのマット１７の中には、人体のツボの各位置に対応して設けられた振動器２３があり、振動器２３が各位置で目的にあった振動効果をもたらし、また各振動器はコントローラ２１につながっており、ベッド枠１１の上にコントローラ入れ２２がついていて、コントローラ２１をコントローラ入れ２２に収納することができ、同時にコントローラ２１は各振動器２３の振動力の強弱を制御したり、その他の振動リズムを制御することができる。
【００１０】
そのため、上述の折り畳みベッドは、開いて使用したり折り畳んで収納したりしたりすることができ、同時に使用者がマット１７に横たわる時に、休息や睡眠の機能を得られ、また使用者は折り畳みベッドに横たわったりながら、手でコントローラ２１を持って、マット１７内の各振動器２３の振動を制御することができ、各振動器２３の人体のツボに対する振動マッサージの作用によって、折り畳みベッドは、折り畳んで収納できる寝具としてだけでなく、使用者が折り畳みベッドを使用する際に、健康的なマッサージ効果を得ることができる。
【図面の簡単な説明】
【００１１】
【図１】従来の折り畳みベッドの構造見取図
【図２】本考案の構造見取図
【符号の説明】
【００１２】
１１，１２…ベッド枠
１３…折り曲げ部
１４…支え脚
１５，１６…車輪付き支え脚
１７…マット
２１…コントローラ
２２…コントローラ入れ
２３…振動器
【図１】
0003103121.tif 000003
【図２】
0003103121.tif 000004
(57)【要約】【課題】  この考案は、夜間においても、安全に愛玩動物の外出や散歩ができ、飼い主の健康維持もはかれ、また、歩行姿勢も正しくなる愛玩動物の交通事故防止用用品を開発・提供するものである。【解決手段】  愛玩動物用被服、又は愛玩動物の係止用ひも等の愛玩動物用の品において、該被服本体（１）と該係止ひも本体（２）に、反射塗料あるいは蓄光用塗料（３）を、全面、あるいは一部に、塗布したことを特徴とする愛玩動物用の交通事故防止用品から構成されるものである。【選択図】      図１
0003103122.tif 000002
【実用新案登録請求の範囲】
【請求項１】
愛玩動物用被服、又は愛玩動物の係止用ひも等の愛玩動物用の品において、愛玩動物（Ｘ）用の被服本体（１）と該係止ひも本体（２）に、反射塗料あるいは蓄光用塗料（３）を、全面、あるいは一部に、塗布したことを特徴とする愛玩動物用の交通事故防止用品。
【考案の詳細な説明】
【技術分野】
【０００１】
この考案は、愛玩動物の交通事故防止用品に関するものである。
【背景技術】
【０００２】
従来、愛玩動物、特に、犬は、昼夜をとわず、夜間であっても外に出て散歩等の運動をよくするものであり、飼い主は、犬に係止ひもを装着したまま、あるいは、係止ひもをはずして、自由に、散歩させている。
【０００３】
しかし、夜間においては、犬や飼い主の存在が、ドライバーや自転車に乗った者に判別ににくく、誤って、轢死させてしまったり、また、けがを負うなどの事故になってしまう場合も多かった。
【０００４】
そのため、愛玩動物の衣服に、線や絵・文字等の蓄光表示部を設けたものは存在したが、夜間では、不充分であり、係止ひもや、愛玩動物よりははるかに大きな身長の飼い主の存在も、ドライバー等に知らせる必要がある。
【特許文献１】登録第３０６００７４号公報
【考案の開示】
【考案が解決しようとする課題】
【０００５】
そこで、この考案は、夜間においても、安全に外出や散歩ができ、飼い主の健康維持もはかれ、また、歩行姿勢も正しくなる愛玩動物の交通事故防止用用品を開発・提供するものである。
【課題を解決するための手段】
【０００６】
この考案は、愛玩動物用用品において、愛玩動物の被服はもちろん、飼い主と愛玩動物とをつなぐ、係止ひもに、また、必要に応じて、飼い主の被服にも、夜間の暗がりで、注意を喚起できる反射塗料や蓄光塗料を塗布することにより、愛玩動物ならびに飼い主を交通事故から守るものである。
【考案の効果】
【０００７】
この考案によると、愛玩動物の被服に反射塗料や蓄光塗料を塗布したため、夜間等暗がりでも反射して、愛玩動物の存在が確認しやすいため、事故を起こりにくいものである。  さらに、反射することにより、ドライバーや通行人に見られたり、注目されることにより、飼い主も、自然に正しい姿勢で歩行ができるようになる等極めて有益なる効果を奏するものである。
【考案を実施するための最良の形態】
【０００８】
この考案の一実施例を詳述すると、愛玩動物用被服、又は愛玩動物の係止用ひも等の愛玩動物用の品において、愛玩動物（Ｘ）の被服本体（１）と該係止ひも本体（２）に、反射塗料あるいは蓄光用塗料（３）を、全面、あるいは一部に、塗布したことを特徴とする愛玩動物用の交通事故防止用品から構成されるものである。
【０００９】
尚、愛玩動物（Ｘ）の被服本体（１）の素材や形状等は特に問わないし、係止ひもの素材等も問わない。
【００１０】
また、反射塗料や蓄光塗料（３）は、愛玩動物用被服本体（１）および係止ひも本体（２）だけではなく、飼い主（Ｙ）の被服（１′）にも塗布してもよいし、また、既存の反射塗料や蓄光塗料（３）を塗布した服を着用してもよいものである。
【００１１】
尚、飼い主の服装も、愛玩動物（Ｘ）の被服本体（１）と同様な色彩・模様に反射塗料や蓄光塗料（３）を設けたものであってもよく、また、場合によっては、同じデザインの被服（１′）であってもよい。
【産業上の利用可能性】
【００１２】
この考案は、このような愛玩動物（Ｘ）の被服本体（１）および係止ひも本体（２）に反射塗料や蓄光塗料（３）を塗布する製造技術および使用方法を確立し、かつ寄与する点で、産業上の利用可能性を有する。
【図面の簡単な説明】
【００１３】
【図１】この考案の一実施例を示す一部欠截斜視図である。
【図２】この考案の一実施例を示す斜視図である。
【符号の説明】
【００１４】
１  愛玩動物用被服
１′飼い主の被服
２  愛玩動物の係止用ひも
３  反射塗料あるいは蓄光用塗料
Ｘ  愛玩動物
Ｙ  飼い主
【図１】
0003103122.tif 000003
【図２】
0003103122.tif 000004
(57)【要約】      （修正有）【課題】普通のコンクリート排水溜桝と補助桝を利用して落蓋排水溜桝にする。【解決手段】既存するコンクリート落蓋排水溜桝の落蓋部分のみを作成し外側にはめ込み型とした事によりズレ防止になり、普通のコンクリート排水溜桝３にはめ込んだり、補助桝を重ねた上にはめ込んでも高さ調整を兼ねた、落蓋排水溜桝になる。【選択図】図３
0003103148.tif 000002
【実用新案登録請求の範囲】
【請求項１】
上部を落蓋受１とし下部はズレ防止２を兼ねて外側に出しはめ込み型とした調整ボックス。
【考案の詳細な説明】
【考案の詳細な説明】
【考案が解決しようとする課題】
【０００１】  従来コンクリート落蓋排水溜桝は一体型があるがこれは重量もかなりあり、補助桝も専用のものを使用しなくてはならないという問題点を有していた。
【課題を解決するための手段】
【０００２】  上位目的を達成するため、落蓋部分のみを作成する事により、普通の排水溜桝３と、補助桝にはめ込むだけで、落蓋排水溜桝として利用でき、外側にはめ込み部分を出した事によりズレ防止対策にもなった。
【考案の効果】
【０００３】  業者は重量も軽くなり作業、運搬が容易で、外側にズレ防止をつけた事により、面倒な目地づめ作業もいらない場合もある。製造業は落蓋排水溜桝と専用の補助桝の金型枠を、新たに製作しなくても考案品のみで対応できる。
【図面の簡単な説明】
【図１】  考案品の真上から見た図である。
【図２】  考案品の断面図である。
【図３】  コンクリート排水溜桝用落蓋調整ボックスズレ防止付と普通のコンクリート排水溜桝を使用した時の斜視断面図である。
【符号の説明】
１落蓋受
２ズレ防止兼はめ込み型
３普通の排水溜桝
【図１】
0003103148.tif 000003
【図２】
0003103148.tif 000004
【図３】
0003103148.tif 000005
(57)【要約】      （修正有）【課題】手袋を使用していても靴への締付け固定が素早くでき、且つ固定手段を取付けた金具が前方或いは後方に倒れる事を防止するアイゼンを提供する。【解決手段】靴に固定する手段を着脱自在に取付けられる型のアイゼンをにおいて、アイゼン本体側壁３３の適宜所に傾斜させた略楕円形を呈する孔３４を設け、該孔に、固定手段６０を取付けるとともに、両先端を扁平にし、線幹で形成された金具４０を着脱自在に設けたことを特徴とするアイゼン。【選択図】図６
0003103147.tif 000002
【実用新案登録請求の範囲】
【請求項１】
靴に固定する手段を着脱自在に取付けられる型のアイゼンをにおいて、アイゼン本体側壁の適宜所に傾斜させた略楕円形を呈する孔を設け、該孔に、固定手段の緊締バンドを備えるとともに、両先端を扁平にした線幹で形成された金具を着脱自在に設けたことを特徴とするアイゼン。
【考案の詳細な説明】
【考案の詳細な説明】
【技術分野】
【０００１】  本考案は、雪山登山や氷壁登攀に使用されるアイゼンに係り、特に、靴との固定手段の緊締バンド部所に関するものである。
【背景技術】
【０００２】  雪山登山や氷壁登攀に使用されるアイゼンにおいて、靴との固定手段には大別して図１のＡタイプと、図２のＢタイプとの二種類が有り、Ａタイプのものは、アイゼン前部と後部それぞれの本体側方に短柱を植設、この短柱の先端にリングを備え、該リングに別体の固定バンドを挿通して靴に固定するものである。
Ｂタイプのものは、アイゼン前部と後部それぞれの本体側壁に孔を設け、この孔に固定手段の緊締バンドを取付けた、線幹で形成された金具を嵌合して後、この緊締バンドで靴に固定するものである。【０００３】  本考案は前記説明のＢタイプのものに関するもので、このタイプのものは、Ａタイプのものと比べ、締付け固定が素早く出来ることから評価が高い。
しかしながら、固定手段を取付けた金具が線幹で形成されたものなので、アイゼン側壁の孔に嵌合する時、手袋を使用しているときは、スムーズに取付けが出来ないばかりでなく、金具が前方或いは後方に倒れる事が多く、靴を履き込む時、時間を要することが多々有った。
【考案が解決しようとする課題】
【０００４】  したがって本考案では、手袋を使用していても靴への締付け固定が素早くでき、且つ固定手段を取付けた金具が前方或いは後方に倒れる事を防止するアイゼンを提供しようとするものである。
【課題を解決するための手段】
【０００５】  本考案は前記目的を達成するため、靴に固定する手段を着脱自在に取付けられる型のアイゼンにおいて、アイゼン本体側壁の適宜所に傾斜させた略楕円形を呈する孔を設け、該孔に、固定手段の緊締バンドを取付けるとともに、両先端を扁平にした線幹で形成された金具を着脱自在に設けたものである。
【考案を実施するための最良の形態】
【０００６】  本考案実施の形態を実施例に基づき図面を参照して説明する。
図１及び図２においては、現在使用されているアイゼンの代表的なタイプを説明するもので、大別して図１のＡタイプと図２のＢタイプとの二種類が有り、Ａタイプのものは、アイゼン前部１と後部２とを板３で連結し、前後それぞれに爪４，５を備えるとともに、側方には短柱６，８を植設、この短柱の先端にリング７，９を設け、該リングに別体のバンドを挿通し、このバンドで靴に固定するものである。【０００７】  図２のＢタイプのものは、アイゼン前部１１と後部１２とを板１３で連結し、前後それぞれに爪１４，１５を備え、その本体側壁に孔１６，１９を設けるとともに、この孔に、固定手段の緊締バンド１８，２１を取付けた線幹で形成された金具１７，２０の先端を嵌合した後、前記緊締バンドで靴に固定するものである。【０００８】  図３は本考案をＣタイプのアイゼンに実施した場合を説明するもので、図４は図３の垂設された側壁周辺部を拡大で示したものである。
このアイゼンは、前部に符号３０の２本、後部に符号３２の２本、土踏まず付近の中央部に符号３１の２本、計８本の爪を有するアイゼンで、前部の爪３０の曲げ部手前には符号３５の孔を備えるとともに、土踏まず付近の後方に垂設された側壁３３には少なくとも２個の孔３４が設けられている。該孔は略楕円形を呈していて、前部方向に傾斜して設けられている。
図中符号３６は、雪団子付着防止板を取付けるためのピン挿通用の孔３７が設けられた突壁で、符号３８と３９で示されたものは靴底の凹部に嵌合する小突片である。【０００９】  図５は、図６に示したように、靴の後部（踵部）に固定する手段６０を取付けた金具４０であって、この金具４０は、線幹で形成され、両先端４１は扁平を呈し且つ少なくとも２ケ所で曲げ部４２を有している。【００１０】  図６は本考案のアイゼンを靴に固定した状態を説明するもので、前部は固定手段５０で固定され、後部は、前記金具４０の両端を側壁３３に設けられた孔３４に嵌合され、該金具は靴踵部に当てられ、この金具に設けられている後部固定手段６０によって緊締固定される。
このように、ここでは８本爪でその実施例を説明しているが、１０本爪や１２本爪の場合においても本考案の実施例となる。つまり、アイゼンの側壁に略楕円形を呈する孔を設け、靴との固定手段を取付けた先端が偏平な線幹で形成された金具を、着脱自在に取付けされたアイゼンであれば、本考案は爪数に関係なくその効果が発揮される。
【考案の効果】
【００１１】  本考案は、以上説明のような構成を有するもので、靴に固定する手段を着脱自在に取付ける型のアイゼンをにおいて、アイゼン本体の側壁に設けられた孔３４は略楕円形を呈しており、固定手段の緊締バンドを取付けた線幹で形成された金具の両先端は、扁平にしたものであるから、手袋を着けた状態でも容易に孔に嵌合することができ、一旦嵌合して、該金具を上方に上げて靴の踵部に当接すれば、略楕円形の孔の形状と、扁平な金具先端の形状とから抜け外れが防止される。その上、該金具は先端部寄りにおいて曲げ部４２を有していることから、仮にアイゼンの固定が緩んで来ても、抜け外れ防止の効果はより一段と発揮されることとなる。
【図面の簡単な説明】
【図１】植設された突片の先端に備えられたリングにバンドを挿通し、靴に固定するタイプのアイゼンを説明する図である。
【図２】前部或いは後部、又は前後部両方の側壁に設けた孔に、固定手段を備えた線幹で作られた金具の両端を嵌合したタイプのアイゼンを説明する図である。
【図３】８本爪アイゼンに本考案を実施した例を示した図である。
【図４】本考案要部の拡大図である。
【図５】本考案要部の線幹で形成された金具の両瑞部を説明する図である。
【図６】本考案アイゼンを靴に固定した状態を説明する図である。
【符号の説明】
３０前部爪    ３１中央部爪    ３２後部爪    ３３側壁    ３４孔    ３５前方孔
３６突壁    ３７孔    ３８，３９小突片    ４０金具    ４１先端部
４２曲げ部    ５０前部固定手段    ６０後部固定手段    ７０靴
【図１】
0003103147.tif 000003
【図２】
0003103147.tif 000004
【図３】
0003103147.tif 000005
【図４】
0003103147.tif 000006
【図５】
0003103147.tif 000007
【図６】
0003103147.tif 000008
(57)【要約】【課題】掌の日焼け防止腕カバーを低コストで、しかも手軽に装着でき外観的にも可愛らしさが出せるものを提供する。【解決手段】日焼け防止腕カバー本体１は生地を筒状に縫着し、筒状の両端部２．３に絞りゴム紐を装着し、手首より先端側は、手の甲部のみ生地４を残して日焼け防止カバー本体１に縫着する。手の甲部布地４の外周に飾り用としてレース５を中央にギャザー６を入れて逢着する。手の甲部布地４には指を通すゴム紐７を縫着する。更に手首の手の甲近くに飾りリボン８を縫着した構成とする。【選択図】  図１
0003103149.tif 000002
【実用新案登録請求の範囲】
【請求項１】
紫外線を遮蔽するＵＶカットの生地素材により、筒状に縫着した腕カバーの両端部は絞りゴム紐を装着し、手首より先は手の甲のみを保護する生地を縫着し、手の甲の部分には指に止められるゴム紐を取付け、手の甲の外側外周に沿ってレースを中央にギャザーを入れて縫着し、手首部の外側に飾りリボンを付ける構成としたことを特徴とする日焼け防止腕カバー。
【考案の詳細な説明】
【技術分野】
【０００１】  本考案は、夏期の車の運転や自転車に乗ったり、あるいは農林業の労働をしたり、ガーデニングや家庭菜園を楽しんだりすることの多い人に、紫外線を遮蔽し腕の異常な日焼けを防止するためのものである。
【背景技術】
【０００２】  従来、長い手袋でなく運転時の肌の露出部分を日焼けから守るため、首の方まで覆うことができるようマフラー風なっているものがある。これは手軽に腕に装着するのに面倒であると共に多目的には使用できない問題点があった。【０００３】又、丸編みにより筒状に作られた日除け腕カバー本体部の一端側に位置する手首覆い部よりも先端側において掌側で本体部の長さ方向に沿ってカットして、手首覆い部よりも先端側の編地の先端部内面に編地に対して紐条体を装着して指を挿通可能に構成したものが公開されている。これは丸編みにより筒状に構成しているため製造コストが高くつくと共に簡便に使用しづらい問題点があった。【０００４】
【特許文献１】        実用新案公報  第３０１９２２０号
【特許文献２】        公開特許公報  特開平１０−１５８９１１号
【考案の開示】
【考案が解決しようとする課題】
【０００５】  解決しようとする問題点は、日焼け防止腕カバーを低コストで、しかも手軽に装着でき外観的にも可愛らしさが出せて手で車のハンドルを持つとき、素手感覚で使用できるものを提供する点にある。
【課題を解決するための手段】
【０００６】  課題を解決するため本考案は、紫外線を遮蔽するＵＶカットの生地素材により、筒状に縫着した腕カバーの両端部は絞りゴム紐を装着し、手首より先は手の甲のみを保護する生地を縫着し、手の甲の部分には指に止められるゴム紐を取付け、外側外周に沿ってレースを中央にギャザーを入れて縫着し、手首部の外側に飾りリボンを付けたことと掌は素手感覚で使用できることを特徴とする低コストで可愛い日除け腕カバーを提供するものである。
【考案の効果】
【０００７】  以上のような本考案の日焼け防止腕カバーを腕への装着が簡単にでき、手首側の手の甲側には可愛らしい飾りリボンが取り付けられており、特に女性には好感を持って使用されるものである。また手の甲の布地には指が止められるゴム紐が取り付けてあり、指を通すことによって、使用中に手の甲の布地がまくれることがなく快適に使用できるものである。又、通気性のある生地を使用すれば、更に快適に使用できる。掌側には布地がないため、車のハンドルを握っても違和感がなく素手感覚で快適に使用できるものである。
【考案を実施するための最良の形態】
【０００８】  以下本考案の実施の形態について説明する。
【実施例１】
【０００９】  以下本考案の実施の形態について図面を参照して説明する。
図１〜図２において、日焼け防止腕カバー本体１は生地を筒状に縫着し、筒状の両端部２．３に絞りゴム紐を装着し、手首側より先端側は、手の甲部のみ生地４を残して日焼け防止カバー本体１に縫着する。手の甲部布地４の外周に飾り用としてレース５を中央にギャザー６を入れて縫着する。手の甲部布地４には指を通すゴム紐７を縫着する。更に手首の手の甲近くに飾りリボン８を縫着した構成とする。
【産業上の利用可能性】
【００１０】  本考案の日焼け防止腕カバーは、種々の色模様のＵＶカット生地を使用して縫着しており、飾りリボンも縫着してありデザイン性も優れ、可愛らしさもあり特に女性に好感を持って使用してもらえる。しかも構造が簡単であり低コストで市場に提供する事ができる。夏期の車の運転や自転車に乗ったりあるいはガーデニング、家庭菜園を行うとき紫外線を遮蔽して日焼け防止に抜群の効果を発揮する。
【図面の簡単な説明】
【００１１】
【図１】日焼け防止腕カバーの平面図である。（ａ）は全体図、（ｂ）はレースの部分図をあらわす
【図２】日焼け防止腕カバーの背面図である。
【符号の説明】
【００１２】          １        日焼け防止腕カバー本体
２，３    絞りゴム紐装着部
４        手の甲部布地
５        レース
６        ギャザー
７        指掛けようゴム紐
８        飾りリボン
【図１】
0003103149.tif 000003
【図２】
0003103149.tif 000004
(57)【要約】【課題】  昨今、化学物質によるいわゆるシックハウス症候群が大きな社会問題かつ喫緊の解決課題となっている。このためこれを容易に解決するための汎用性のあるツールや素材の開発が切望されている。本考案はこれらの課題を解決する素材である。【解決手段】  本考案は、和紙等の通気性のある生地内に炭等の層をサンドイッチ状に挟み込んだ装飾用のリボンテープ様素材であり化学物質吸着能を兼備する。  本考案をシックハウス対策が必要な室内において、天井等から装飾的な感覚で自在に創作して吊り下げる。そうすることにより、室内に浮遊する原因化学物質が本考案に継続して吸着固定除去され課題を解決する。【選択図】  図２
0003103150.tif 000002
【実用新案登録請求の範囲】
【請求項１】
和紙や不織布等の通気性のある複数の生地内に炭や活性炭等の一層又は複数層をサンドイッチ状の構造にして挟み込み、帯状の薄いリボンテープ様に成型し、装飾用機能及びシックハウス対策等に活用できる化学物質吸着能を兼備することを特徴とする素材。
【考案の詳細な説明】
【技術分野】
【０００１】  本考案は、いわゆるシックハウス症候群の原因となる化学物質による室内汚染を防止するためのツールかつ素材に関するものである。
【背景技術】
【０００２】  これまでのリボンテープ様の装飾用素材には、炭・活性炭等の持つ化学物質吸着能を兼備させ、シックハウス対策に応用するものは無かった。
【考案の開示】
【考案が解決しようとする課題】
【０００３】  本考案が解決しようとする課題は、１つは社会問題かつ喫緊の解決課題となっているシックハウス症候群の未然防止及び室内の化学物質汚染改善であり、もう１つは汎用性の大きい素材の開発提供課題の解決である。
室内等の悪臭物質やシックハウス原因化学物質の除去は、従前では据え置き型の消臭剤や脱臭設備等があったが、本考案ではこれらとは違い装飾用等のリボン素材に化学物質吸着能を付加して、これ迄には無い特徴を持たせたものである。本考案の開発により、誰でもどこでも容易にシックハウス対策が可能となり、社会における汎用性という課題をも解決し、生活環境安全対策の普及拡大向上に大きく貢献する。
【課題を解決するための手段】
【０００４】  本考案は、和紙等の通気性のある複数の生地内に炭等の層をサンドイッチ状に挟み込み、帯状の薄い装飾用のリボンテープ様に製品化しているため、炭等による化学物質吸着能を兼備する。本考案をシックハウス対策が必要な室内において天井・壁等からリボン装飾的な感覚で吊り下げる。そうすることにより、浮遊するシックハウス原因化学物質を継続して吸着固定除去し、結果としてシックハウス課題を解決できる。
【考案の効果】
【０００５】  本考案に含まれている炭等の化学物質吸着能により、シックハウス症候群を解消する健康改善効果や室内環境汚染改善効果又は未然防止効果がある。
さらに本考案は、付随設備を必要とせず、装飾用リボンを扱う感覚にて適宜加工して天井等から吊るして使用するだけであるため、だれでも容易に即座的、簡潔的、経済的、効率的、継続的、美観的に課題を解決できる効果がある。
また、天井付近での活用であることや必要箇所へ移動可能な利点があり、化学物質の除去効果・効率も大きい。以上のように従前のものに比べて優れている。
【考案を実施するための最良の形態】
【０００６】  本考案は、和紙等の通気性のある生地内に炭等の層をサンドイッチ状の構造に挟み込み、カラフルな薄いリボンテープ様に成型した素材として加工製品化する。
本考案をシックハウス対策用品兼装飾用インテリア品として広く活用する。
【実施例】
【０００７】  和紙や不織布等の通気性のある生地を細長い帯又は袋状にし、その中に炭等の吸着剤（粉末或いは顆粒）を層状又はシート状に入れてサンドイッチ状構造にして、リボンテープ様に成型した素材製品（本考案の製品）とする。【０００８】  本考案は、風鈴等の短冊素材に応用したり、従前からのリボンテープと同様な素材として利用し、様々な形に創作するなど、シックハウス対策用兼装飾用インテリア商品等の素材としても広く活用できる。
【産業上の利用の可能性】
【０００９】  本考案は、工場・事業場の事務所や会議室等のシックハウス対策についても室内装飾感覚で活用が可能である。
【図面の簡単な説明】
【００１０】
【図１】本考案の製品例を示した外観図である。外観は従前から普及しているカラフルな薄いリボンテープと同様である。
【図２】本考案の製品例の構造を示した図である。二枚又はそれ以上の複数枚の和紙等のリボンテープ２により炭等の一層又は複数の吸着剤層３がサンドイッチ状に固定されている。
【符号の説明】
【００１１】  １  本考案の製品全体
２  和紙等の通気性のある生地材料
３  炭等の吸着剤
【図１】
0003103150.tif 000003
【図２】
0003103150.tif 000004
(57)【要約】      （修正有）【課題】荷物の出し入れやネスティングをする時に、荷物が引っ掛かり難いポータブルラックを提供する。【解決手段】ポータブルラックの左右一対の前部支柱１と後部支柱２を丸パイプにし、前部支柱１と上部レール３との接続部である左右一対のブラケットを椀形にし、上部レール３の前端部内部の角を、上部レール用前部レール台と共に椀形のブラケットに沿って丸くする事により、高さや幅が一杯で角張ったような荷物でも出し入れし易く、又、ネスティングもし易い。【選択図】図１
0003103199.tif 000002
【実用新案登録請求の範囲】
【請求項１】
左右一対の前部支柱を丸パイプにする事と、左右一対のブラケットを碗形にする事により、高さや幅が一杯で角張ったような荷物でも出し入れが容易なポータブルラック。
【請求項２】
左右一対の上部レールの前端部内側の角を上部レール用前部レール台と共に、請求項１の碗形のブラケットに沿って丸くする事により、請求項１の前部支柱の丸パイプと相まって、同規格の如何なる形体のポータブルラックでも、ネスティングが容易なポータブルラック。
【請求項３】
左右一対の後部支柱を丸パイプにする事により、同規格の如何なる形体のポータブルラックにも、ネスティングが容易なポータブルラック。
【考案の詳細な説明】
【技術分野】
【０００１】
本考案は、荷物の出し入れやネスティングが容易なポータブルラックに関するものである。
【背景技術】
【０００２】
従来のポータブルラックに幅が一杯で角張ったような荷物を出し入れする場合、荷物を入れる時には比較的容易に入るポータブルラックもあるが、荷物を出す時に殆んどのポータブルラックの場合前部支柱の後端部内側の角が角張っている為引っ掛かり易く荷物が出し難く、荷物の積み方が少しでもズレているとその角が死角になる為荷物を出すのが大変であった。
又、高さや幅が一杯で角張ったような荷物を出し入れする場合従来のポータブルラックではブラケット部分が板状になっている為引っ掛かり易く出し入れがし難かった。
【０００３】
従来のポータブルラックに支柱が角パイプや五角形パイプになっているポータブルラックをネスティングする場合、上部レールの前端部内側の角がネスティングするポータブルラックの後部支柱の後端部外側の角に引っ掛かり易くネスティングがし難かった。
なを、上部レール用前部レール台の前端部内側が丸くなっているポータブルラックもあるが、丸め方が小さい為それ程効果はなかった。
【０００４】
又、前部支柱が角パイプになっているポータブルラックに下部レールの後端部外側の角が角張っているポータブルラックをネスティングする場合、前部支柱の前端部内側の角に下部レールの後端部外側の角が引っ掛かり易くネスティングがし難かった。
【考案の開示】
【考案が解決しようとする課題】
【０００５】
解決しようとする問題点は、荷物の出し入れやネスティングをする時に、ポータブルラックの接する箇所が角張っている為、引っ掛かり易い事である。
【課題を解決するための手段】
【０００６】
本考案は、荷物の出し入れやネスティングをする時に、ポータブルラックの接する箇所を丸くする事により、引っ掛かり難くした事を特徴とする。
【考案の効果】
【０００７】
左右一対の前部支柱を丸パイプにする事と、左右一対のブラケットを碗形にする事により、高さや幅がいっぱいで角張ったような荷物を出し入れする時でも引っ掛かり難く出し入れがし易く、又、ブラケットの高さが従来の半分ぐらいの高さなので、より多くの荷物を入れることが出来る。
【０００８】
本考案のポータブルラックに従来のポータブルラックをネスティングする場合、左右一対の上部レールの前端部内側の角を上部レール用前部レール台と共に、碗形のブラケットに沿って丸くする事により、前項の前部支柱の丸パイプと相まって、規格が同じであればどのような形体のポータブルラックでも、引っ掛かり難くネスティングがし易い。
【０００９】
従来のポータブルラックに本考案のポータブルラックをネスティングする場合、左右一対の後部支柱を丸パイプにする事により、規格が同じであればどのような形体のポータブルラックにも、引っ掛かり難くネスティングがし易い。
ただし、本考案のポータブルラックが、従来の技術である左右一対の下部レールの後端部外側の角が支柱の丸パイプの曲面と同じぐらいに丸くなっている事。
【図面の簡単な説明】
【００１０】
【図１】ポータブルラック全体の斜視図
【図２】ポータブルラックの上側の左前部分の斜視図。なお、左右対称の為右側は省略
【符号の説明】
【００１１】
１    前部支柱
２    後部支柱
３    上部レール
４    下部レール
５    上部レール用前部レール台
６    ブラケット
【図１】
0003103199.tif 000003
【図２】
0003103199.tif 000004
(57)【要約】【課題】  車両の所有者がアクセサリとして利用できるだけでなく、所有する車両に関する識別を行うことができる識別プレートを提供すること。【解決手段】  本考案に係る識別プレートは、平板状の本体を有し、  一方の面に、車両の図案と、該車両の所有者に関する情報とを表示する表示部を備え、他方の面に、車両の自動車登録番号票と略相似形状の自動車登録番号表示部を備え、前記自動車登録番号表示部に、一方の面に表示された車両の自動車登録番号を表示したことを特徴とする。【選択図】    図１
0003103196.tif 000002
【実用新案登録請求の範囲】
【請求項１】
平板状の本体を有し、
一方の面に、車両の図案と、該車両の所有者に関する情報とを表示する表示部を備え、
他方の面に、車両の自動車登録番号票と略相似形状の自動車登録番号表示部を備え、
前記自動車登録番号表示部に、一方の面に表示された車両の自動車登録番号を表示した
ことを特徴とする識別プレート。
【請求項２】
平板上の本体に、チェーン用の孔が形成されている
ことを特徴とする請求項１に記載の識別プレート。
【請求項３】
平板上の本体に、チェーンが一体的に設けられている
ことを特徴とする請求項１に記載の識別プレート。
【考案の詳細な説明】
【技術分野】
【０００１】
本考案は、車両に関する識別プレートに関する。
【背景技術】
【０００２】
従来から、車両の製造会社のシンボルマーク、車両の名称又は車両のシンボルマーク等を付したキーホルダーは販売されている。
【考案の開示】
【考案が解決しようとする課題】
【０００３】
上記したキーホルダーは、車両のキーに取り付けるアクセサリとして、車両の所有者に好んで利用されているが、単に、車両の種類や製造会社の種類が識別できるだけのものなので、アクセサリ以上の効果は発揮しない。
本考案は、車両の所有者がアクセサリとして利用できるだけでなく、所有する車両に関する識別を行うことができる識別プレートを提供することを目的としている。
【課題を解決するための手段】
【０００４】
上記した目的を達成するために、本考案に係る識別プレートは、平板状の本体を有し、一方の面に、車両の図案と、該車両の所有者に関する情報とを表示する表示部を備え、他方の面に、車両の自動車登録番号票と略相似形状の自動車登録番号表示部を備え、前記自動車登録番号表示部に、一方の面に表示された車両の自動車登録番号を表示したことを特徴とする。
【考案の効果】
【０００５】
本考案に係る識別プレートは、平板状の本体を有し、一方の面に、車両の図案と、該車両の所有者に関する情報とを表示する表示部を備え、他方の面に、車両の自動車登録番号票と略相似形状の自動車登録番号表示部を備え、前記自動車登録番号表示部に、一方の面に表示された車両の自動車登録番号を表示しているので、自動車のキー等に装着して使用するだけで、キーを落とした時に持ち主だけでなく、その車両も分かるので、持ち主を見つけやすく、また、使用者が、自分の車両の自動車登録番号を記憶しておく必要もなくなる。
【考案を実施するための最良の形態】
【０００６】
以下、添付図面に示した一実施例を参照して本考案に係る識別プレートの実施の形態について説明していく。
【０００７】
図１（ａ）は本考案に係る識別プレートの正面図であり、図１（ｂ）は、本考案に係る識別プレートの裏面図である。
図中、符号１は金属の平板であり、その表面１ａには、車両の自動車登録番号票と略相似形状の自動車登録番号表示部２を有する。
また、図１（ｂ）に示すように裏面１ｂには、車両の図案３、車両の名称４及び所有者の名称５が表示されている。
自動車登録番号表示部２に表示されている自動車登録番号は、裏面１ｂに表示された所有者の所有する車両の自動車登録番号であり、また、裏面１ｂに表示された車両の図案３及び車両の名称４も裏面１ｂに表示された所有者の所有する車両の図案及び名称である。
このように、一つの平板状本体１に、自動車登録番号、車両の図案３、車両の名称４及び所有者の名称５が全て表示されているので、平板状本体１に形成された孔６に鎖等を通してキーホルダーとして使用すれば、アクセサリーとして最適なことは勿論のこと、使用者は自分の車両の自動車登録番号を記憶する必要がなくなる。
【０００８】
上記した実施例では、裏面１ｂに車両の名称が表示されているが、これは本実施例に限定されることなく、表示しなくてもよい。
図面に示した自動車登録番号、所有者の名称、車両の図案及び車両の名称は単なる一例であることは勿論である。
上記した実施例では、平板状本体１に、鎖等を通してキーホルダーとして使用することができる孔６を設けた例を挙げているが、この構成は本実施例に限定されることなく、たとえば、平板状本体１にチェーンを一体的に設けてもよい。
【図面の簡単な説明】
【０００９】
【図１】（ａ）は本考案に係る識別プレートの正面図であり、図１（ｂ）は、本考案に係る識別プレートの裏面図である。
【符号の説明】
【００１０】
１  平板本体
１ａ  表面
１ｂ  裏面
２  自動車登録番号表示部
３  車両の図案
４  車両の名称
５  所有者の名称
６  孔
【図１】
0003103196.tif 000003
(57)【要約】【課題】本考案は、無理な姿勢をとらず、浴室の床面に置いて足をその上に乗せて使用する、簡便性と効果性に優れた、足裏等の角質取り用具を提供するものである。 【解決手段】本考案は、一番上の層が角質を除去する研磨材を織りこんだ合成繊維１で、足の凹凸面に密着させるために、二層目に波型に成型した硬質ポリウレタン２と、三層目に弾性のある軟質ポリウレタン３を接着した三層構造から成り、踵や足指の間の角質を除去するために三角型４・山波型５・楕円型６・棒線型７・曲線を伴った丸型８の穴を開けたマットである。本考案角質取りポリウレタンマットを浴室の床面に置いてその上に足を乗せ、足を前後に動かしたり回転させたり、あるいはマットの穴に踵を押しつけたり足指を入れたりするだけで、簡単に効率よく足裏や踵や足指の間の角質を除去することができる。【選択図】図１
0003103195.tif 000002
【実用新案登録請求の範囲】
【請求項１】
研磨材を織りこんだ合成繊維の下に波型に成型した硬質ポリウレタンを接着し、その下に軟質ポリウレタンを接着した三層構造から成り、三角型・山波型・楕円型・棒線型・曲線を伴った丸型の穴を開けたことを特徴とする角質取り用具。
【考案の詳細な説明】
【技術分野】
【０００１】
本考案は、入浴時等に、足裏・踵・足指の間の皮膚を清潔に保つために行う角質取り用具に関するものである。
【背景技術】
【０００２】
従来、踵等の角質を取る用具としては、軽石、ステンレス板に突起を付けた商品、研磨材を付着させたセラミック商品が使われていた。
【考案の開示】
【考案が解決しようとする課題】
【０００３】
従来の角質取り用具は、腰を屈め、足を持ち上げ軽石等を手に持って擦るという無理な姿勢を強いられるものであり、腰の屈めにくい人や足を持ち上げる姿勢のとりにくい人、手で擦りにくい人にとっては、角質取りは苦労を伴う作業であった。また、足裏の凹凸面の角質や足指の間の角質を取るためには、平板である軽石やステンレス板やセラミック板では、効果的に角質除去が行えないという問題点があった。
【０００４】
本考案は、従来の問題点を解決するもので、無理な姿勢をとらず、浴室の床面に置いて足をその上に乗せて使用する、簡便性と効果性に優れた角質取り用具を提供するものである。
【課題を解決するための手段】
【０００５】
上記の目的を達成するために、一番上の層は角質を除去する研磨材を織りこんだ合成繊維で、足の凹凸面に密着させるために、二層目に波型に成型した硬質ポリウレタンと、三層目に弾性のある軟質ポリウレタンを接着した三層構造から成り、踵や足指の間の角質を除去するために三角型・山波型・楕円型・棒線型・曲線を伴った丸型の穴を開けた。
【考案の効果】
【０００６】
上述の様に、本考案の角質取りポリウレタンマットは、軟質ポリウレタンの弾性によって足の体重のかけ方を変えるだけで足裏の様々な部位に密着し、波型に成型した硬質ポリウレタンが適度な反発力と波型の凹凸によって足裏の凹凸面との密着性をさらに高め、研磨材を織りこんだ合成繊維の摩擦力によって角質を落とすので、浴室の床面に置いてその上に足を乗せ、足を前後に動かしたり回転させたりするだけで、簡単に効率よく足裏の角質を除去することができる。
【０００７】
また、三角型・山波型・楕円型・棒線型・曲線を伴った丸型の穴に、踵を押しつけたり足指を入れたりするだけで、簡単に効率よく踵や足指の間の角質を除去することができる。
【考案を実施するための最良の形態】
【０００８】
厚さ４０ミリ前後の弾性のある軟質ポリウレタンの上に、山２０ミリ谷１０ミリ前後に成型した硬質ポリウレタンを接着し、その上に厚さ１０ミリ前後の摩擦量の多い研磨材を織りこんだ合成繊維を接着する。それを直径２００ミリ前後の円に近い形に型抜きをし、そのとき三角型・山波型・楕円型・棒線型・曲線を伴った丸型の穴も同時に型を抜く。
【実施例】
【０００９】
以下、添付図面に従って一実施例を説明する。図１は全体の斜視図である。１は厚さ１０ミリ前後の摩擦量の多い研磨材を織りこんだ合成繊維層であり、その摩擦力によって角質を落とす。２は山２０ミリ谷１０ミリ前後に成型した硬質ポリウレタン層で、図２はこの層のみを示したイメージ図である。影の部分は谷を、光の部分は山を示している。この波型に成型した硬質ポリウレタンが、適度な反発力と波型の凹凸によって足裏の凹凸面との密着性を高める。３は厚さ４０ミリ前後の弾性のある軟質ポリウレタン層であり、その弾性によって足の体重のかけ方を変えるだけで足裏の様々な部位に密着する。この三つの層は接着されている。図３は側面から見た図である。
【００１０】
図４は全体の型と型抜き穴の平面図である。４は三角型型抜き穴、５は山波型型抜き穴、６は楕円型型抜き穴、７は棒線型型抜き穴、８は曲線を伴った丸型型抜き穴である。この穴に踵を押しつけたり足指を入れたりする。
【００１１】
図５と図６は使用例図である。浴室の床面に本考案の角質取りポリウレタンマット置いて、図５のように足をその上に乗せて擦るだけで簡単に効率よく足裏の角質を除去することができ、図６のように穴に踵を押しつけたり足指を入れたりするだけで簡単に効率よく踵や足指の間の角質を除去することができる。
【図面の簡単な説明】
【００１２】
【図１】本考案の角質取りポリウレタンマットの一実施例を示した斜視図である。
【図２】本マットの波型に成型した硬質ポリウレタン層を示した斜視図である。
【図３】本マットの三層構造を示した側面図である。
【図４】本マットの全体の型抜き型と穴の型抜き型を示した平面図である。
【図５】本マットで足裏の角質を取る使用例を示した斜視図である。
【図６】本マットで足指の間の角質を取る使用例を示した斜視図である。
【符号の説明】
【００１３】
１  厚さ１０ミリ前後の摩擦量の多い研磨材を織りこんだ合成繊維層    
２  山２０ミリ谷１０ミリ前後に成型した硬質ポリウレタン層    
３  厚さ４０ミリ前後の弾性のある軟質ポリウレタン層    
４  三角型型抜き穴  
５  山波型型抜き穴  
６  楕円型型抜き穴
７  棒線型型抜き穴
８  曲線を伴った丸型型抜き穴
【図１】
0003103195.tif 000003
【図２】
0003103195.tif 000004
【図３】
0003103195.tif 000005
【図４】
0003103195.tif 000006
【図５】
0003103195.tif 000007
【図６】
0003103195.tif 000008
(57)【要約】【課題】  高い商品広告機能を発揮することができる軍手の包装を提供する。【解決手段】  軍手１の親指部１Ａを除いて親指部１Ａの付け根から他の４本の指部１Ｂ，１Ｃ，１Ｄ，１Ｅの付け根を含む部分を包囲する帯封２を備えているため、帯封２の表面に商品名や材質などの品質表示およびバーコードなどの商品情報と共に商品のキャッチコピーや商標などを大きく表示することにより、高い商品広告機能が発揮される。【選択図】  図１
0003103198.tif 000002
【実用新案登録請求の範囲】
【請求項１】
複数双の軍手を相互に重ねて１束にまとめる包装であって、前記軍手の親指部を除いて親指部の付け根から他の４本の指部の付け根を含む部分を包囲する帯封を備えていることを特徴とする軍手の包装。
【請求項２】
前記複数双の軍手の親指部の先端部と、他の４本の指部の先端部と、手首部とをそれぞれ１つにまとめる複数のゴムバンドを備えていることを特徴とする請求項１に記載の軍手の包装。
【請求項３】
前記複数双の軍手を収容する透明な包装袋を備えていることを特徴とする請求項１または２に記載の軍手の包装。
【考案の詳細な説明】
【技術分野】
【０００１】
この考案は、複数双の軍手を相互に重ねて１束にまとめる軍手の包装に関するものである。
【背景技術】
【０００２】
各種の現場作業などにおいて作業者の手を保護する軍手は、一般に複数双を重ねて１束にまとめた状態で販売されている。この場合、複数双の軍手は、通常、縫い糸やゴムバンドにより１束にまとめられ、その表面には、商品名、品質表示、バーコードなどを含む各種の商品情報が印刷された商品ラベルが貼付されている。
【０００３】
ここで、一般に包装とは、物品の輸送、保管、取引、または使用にあたって、その価値および状態を保護するために適切な材料容器などを施す技術、および施した状態をいう（日本工業規格  ＪＩＳ  Ｚ０１０８）。そして、この考案に係る軍手の包装とは、複数双の軍手を相互に重なる状態に保持するための帯紙、止め具、縫い糸、透明な包装袋などを総称したものである。
【考案の開示】
【考案が解決しようとする課題】
【０００４】
ところで、従来の軍手の包装においては、各種の商品情報の表示スペースが軍手の表面に貼付される１枚の商品ラベルに限定されているため、商品のキャッチコピーなどを大きく表示するには難点があり、商品の広告機能が低いという問題がある。
【０００５】
そこで、この考案は、高い商品広告機能を発揮することができる軍手の包装を提供することを課題とする。
【課題を解決するための手段】
【０００６】
この考案に係る軍手の包装は、複数双の軍手を相互に重ねて１束にまとめる包装であって、前記軍手の親指部を除いて親指部の付け根から他の４本の指部の付け根を含む部分を包囲する帯封を備えていることを特徴とする。
【０００７】
この考案に係る軍手の包装では、帯封の表面積を従来の１枚の商品ラベルの表示面積より格段に大きくすることが可能であり、この帯封の表面に商品名、品質表示、バーコードなどを含む各種の商品情報と共に商品のキャッチコピーや商標などを大きく表示することにより、高い商品広告機能を発揮することが可能となる。
【０００８】
この考案の軍手の包装において、軍手の親指部の先端部と、他の４本の指部の先端部と、手首部とをそれぞれ１つにまとめる複数のゴムバンドを備えていると、複数双の軍手を１束にまとめる機能が高まり、帯封が破損し難くなるので好ましい。
【０００９】
また、複数双の軍手を収容する透明な包装袋を備えていると、商品である軍手や帯封の汚損が防止されると共に、商品価値も高まるので好ましい。
【００１０】
なお、この考案の軍手の包装における帯封の材質は、紙に限らず、紙と同様の織布、不織布、合成樹脂フィルムなどであってもよい。
【考案の効果】
【００１１】
この考案に係る軍手の包装によれば、従来の１枚の商品ラベルの表示面積より表面積を大きくした帯封の表面に、商品名やバーコードを含む各種の商品情報と共に商品のキャッチコピーなどを大きく表示することができ、高い商品広告機能を発揮することができる。
【考案を実施するための最良の形態】
【００１２】
以下、図面を参照してこの考案に係る軍手の包装の実施形態を説明する。参照する図面において、図１は一実施形態に係る軍手の包装を示す斜視図である。
【００１３】
図１に示すように、一実施形態に係る軍手の包装は、例えば５双の軍手１を相互に重ねて１束にまとめる包装であって、例えば紙製の帯封２と、ゴムバンド３，４，５と、透明な合成樹脂フィルム製の包装袋６とを備えている。
【００１４】
帯封２は、軍手１の親指部１Ａを除いて親指部１Ａの付け根から他の４本の指部１Ｂ，１Ｃ，１Ｄ，１Ｅの付け根を含む部分を包囲しており、４本の指部１Ｂ，１Ｃ，１Ｄ，１Ｅの先端部は帯封２から露出している。
【００１５】
図示省略したが、帯封２の正面には、例えば「使い心地革命」、「編み目が違う」、「すべらない  手が機械に巻き込まれにくい！！」などのキャッチコピーと、「５双組」の数量表示と、所定のブランド（図示省略）とが印刷されており、特に、「編み目が違う」というキャッチコピーが大きく表示されている。
【００１６】
また、帯封２の背面にも正面と同様の印刷が施されている。そして、帯封２の側面には、商品名や材質などの所定の品質表示およびバーコードなどの商品情報が印刷されている（図示省略）。
【００１７】
ゴムバンド３は、５双の軍手１の親指部１Ａの先端部を包囲して１つにまとめている。また、ゴムバンド４は５双の軍手１の４本の指部１Ｂ，１Ｃ，１Ｄ，１Ｅの先端部全体を包囲して１つにまとめている。そして、ゴムバンド５は、５双の軍手１の手首部１Ｆを包囲して１つにまとめている。
【００１８】
包装袋６は、帯封２およびゴムバンド３，４，５によって１束にまとめられた５双の軍手１を密封状態に収容しており、軍手１や帯封２の汚損を防止している。
【００１９】
以上のように構成された一実施形態の軍手の包装によれば、帯封２の正面および背面に例えば「編み目が違う」というキャッチコピーが大きく印刷されており、この印刷表示が透明な包装袋６を透して見えるため、高い商品広告機能を発揮することができる。
【００２０】
また、５双の軍手１の親指部１Ａの先端部と、他の４本の指部１Ｂ，１Ｃ，１Ｄ，１Ｅの先端部と、手首部１Ｆとがそれぞれゴムバンド３，４，５により１つにまとめられているため、５双の軍手１を１束にまとめる機能が高まる。その結果、帯封２が破れ難くなると共に、５双の軍手１を包装袋６に収容する際の作業が容易となる。
【００２１】
さらに、５双の軍手１は帯封２と共に透明な包装袋６に密封状態で収容されているため、軍手１や帯封２の汚損が防止されると共に、商品価値も高まる。
【００２２】
この考案に係る軍手の包装は、前述した一実施形態に限定されるものではない。例えば、帯封２の材質は、紙に限らず、紙と同様の織布、不織布、合成樹脂フィルムなどであってもよい。
【００２３】
また、ゴムバンド３，４，５や包装袋６は適宜省略することができる。
【図面の簡単な説明】
【００２４】
【図１】この考案の一実施形態に係る軍手の包装を示す斜視図である。
【符号の説明】
【００２５】
１    軍手
２    帯封
３    ゴムバンド
４    ゴムバンド
５    ゴムバンド
６    包装袋
【図１】
0003103198.tif 000003